(57)【特許請求の範囲】
【請求項１】
家屋の屋根裏に通ずる中央風道を形成する中央筒部と、該中央筒部の周囲に外気の出入となる周囲風道を形成するために該中央筒部と所定間隔を空けて設けられた外筒部と、前記中央風道と周囲風道に通じる上方風道を形成するために前記外筒部の上方を覆うようにして設けられた天井部と、薄金属板材に開口して形成した複数の流通孔と該流通孔から少しの間隔を空けて前記流通孔に対面するように設けたブリッジ板を有する、前記周囲風道の全域に亘って設けられた雨水遮へい板と、前記中央筒部を屋根の棟部の開口部に固定するための取付板と、を具備することを特徴とする棟換気塔。
【請求項２】
前記雨水遮へい板を所定間隔を開けて上下方向に複数枚設けたことを特徴とする請求項１に記載の棟換気塔。
【請求項３】
前記雨水遮へい板が、断面コの字型の遮へい長尺部材の連結片の上下で同じ方向に折り曲った上片、下片であることを特徴とする請求項１又は２のいずれかに記載の棟換気塔。
【請求項４】
前記中央筒部を構成する中央板と前記取付板が一体的構造で、且つ、前記取付板が前記中央筒部と外筒部が形成する周囲風道の下方に位置することを特徴とする請求項１に記載の棟換気塔。
【発明の詳細な説明】
【技術分野】
【０００１】
この発明は、家屋の屋根の棟部に設けて風雨の強い時であっても雨水が屋根裏へ入ることなく屋根裏の喚起を良好に行なうことができる棟換気塔に関する。
【背景技術】
【０００２】
従来のこの種の技術としては、例えば、図１１に示される換気塔がある。この換気塔は、家屋の屋根Ａの棟部Ｂに、この棟部Ｂに沿って延びるとともに屋根裏Ｃ内と連通した屋根開口３０を設け、この屋根開口３０から上方に突出して上端部に屋根裏内等の空気を排出する吹出口３１が形成された排気道体３２を設け、該排気道体３２を覆うように棟３３を設け、棟３３の頂部の両側に位置する両側板３４、３５の、前記吹出口３１より低い位置に通風孔３６、３７を形成し、該一方の通風孔３６、３７から吹出口３１の上側を通り他方の通風孔３６、３７まで続く風路３８が形成された換気塔である（例えば、特許文献１）。
【０００３】
このような換気塔において、前記風路３８に通風孔３６、３７から所定以上の強さの風が流入した時、区画板３９に設けられた連孔４０、４１がシート４２、４３で閉塞されて風路３８が遮断される。これによって、所定以上の強さの風が通風孔３６、３７から風路３８内に入ると、風路遮断手段が風路３８を遮断するので、雨水が通風孔３６、３７から入ってきても該雨水が屋根裏Ｃへ浸入することを防止できることが開示されている。
【特許文献１】特開平５−１４８９６６号公報
【発明の開示】
【発明が解決しようとする課題】
【０００４】
しかしながら、上記の換気塔を棟換気に用いた場合であっても、両側板３４、３５に設けた通風孔３６、３７から入った雨風が例えば図１１の２点鎖線で示すように、シート４２、４３全体を１度に持ち上げて区画板３９に設けられている連孔４０又は４１を全て閉塞することができないために、閉塞できなかった連孔４０又は４１から雨風が区画板３９と棟３３の間に形成された空間内部に入り込んで、この空間内部に開口している排気道体３２の吹出口３１を通って屋根裏Ｃに入り込む恐れがある。
【０００５】
又、シート４２、４３は可撓性部材であるから、換気塔内部のように夏期には高温になる環境下においては、劣化が早く取り換え作業がひんぱんとなり面倒であるという問題点がある。
【０００６】
又、風の取入口となる通風孔３６、３７が２方向側にしかないために、この２方向以外からの雨風に対しては、十分には機能しないという問題点がある。
【０００７】
この発明は上記事情に鑑みてなされたものであって、台風のように強い雨風の場合であっても確実に雨水の浸入を阻止し、しかも耐久性のある棟換気塔を提供することを目的とするものである。
【課題を解決するための手段】
【０００８】
上記目的を達成するために、請求項１に記載の棟換気塔は、家屋の屋根裏に通ずる中央風道を形成する中央筒部と、該中央筒部の周囲に外気の出入となる周囲風道を形成するために該中央筒部と所定間隔を空けて設けられた外筒部と、前記中央風道と周囲風道に通じる上方風道を形成するために前記外筒部の上方を覆うようにして設けられた天井部と、薄金属板材に開口して形成した複数の流通孔と該流通孔から少しの間隔を空けて前記流通孔に対面するように設けたブリッジ板を有する、前記周囲風道の全域に亘って設けられた雨水遮へい板と、前記中央筒部を屋根の棟部の開口部に固定するための取付板と、を具備するところにある。
【００１０】
請求項２に記載の棟換気塔は、前記雨水遮へい板を所定間隔を開けて上下方向に複数枚設けたことにある。
【００１１】
請求項３に記載の棟換気塔は、前記雨水遮へい板が、断面コの字型の遮へい長尺部材の連結片の上下で同じ方向に折り曲った上片、下片であるところにある。
【００１２】
請求項４に記載の棟換気塔は、前記中央筒部を構成する中央板と前記取付板が一体的構造で、且つ、前記取付板が、前記中央筒部と外筒部が形成する周囲風道の下方に位置するところにある。
【発明の効果】
【００１３】
この発明の請求項１に記載の棟換気塔によれば、中央筒部と所定間隔を空けて設けられた外部筒が形成する雨風の上流側の周囲風道の下方から雨風が入るが、この周囲風道には全域に亘って雨水遮へい板が設けられているので、これによって雨水が取り除かれて周囲風道の下方から落下し屋根の棟部の屋根葺材上に落下してゆく。一方、雨水を取り除かれた風は、周囲風道から外筒部を覆うようにして設けられた天井部によって形成される上方風道を通過する際に、中央風道から屋根裏の空気と共に風下側の周囲風道を通過して外部へ吹き出てゆく。周囲風道は棟換気塔の周囲全方向にあるので、雨風がどの方向からであっても、風上側となる１又は２方向の周囲風道から風下流となる１又は２方向の周囲風道から抜け出てゆくので、換気が雨風の方向いかんにかかわらず円滑に行うことができる。
【００１４】
又、雨水遮へい板が複数の流通孔と該流通孔から間隔を空けて対面するように設けたブリッジ板からなるので、流通孔を通過する雨風は一旦ブリッジ板に当って雨水をこれに付着させてから、雨水遮へい板とブリッジ板が形成する隙間から抜け出てゆくために、雨水は上方風道にまで達しない。このため、上方風道と連なる中央風道には雨水は全く達しないので、中央風道と連通する屋根裏へ水が入り込まなくなるという効果をより向上させることができる。
【００１５】
請求項２に記載の棟換気塔によれば、前項の雨水遮へい板を所定間隔を空けて上下方向に複数枚設けたので、その増加した枚数分だけより確実に雨水の浸入を阻止することができる。
【００１６】
請求項３に記載の棟換気塔によれば、断面コの字型の遮へい長尺部材を用いたので、１個で２枚の雨水遮へい板を兼ねることができるので、部品点数を少なくすることができると共に、組立も容易となる。又、中央筒部と外筒部との間に設けて連結固定することにより、両筒部をより確実に連結固定することができる。更に又、これら遮へい長尺部材の端部を相互に連結固定して組み立てることによって、より強度の強い棟換気塔を得ることができる。
【００１７】
請求項４に記載の棟換気塔によれば、中央筒部を構成する中央板と前記取付板とが一体に構成されているので、組立工程が簡単になると共に部材間に継目が存在しなくなるので漏水の恐れがなくなる。又、取付板は周囲風道の下方に位置するので、雨水遮へい板によって取り除かれた雨水を屋根葺部材上へ円滑に流下させることができる。更に、風雨もこの取付板にガイドされて周囲風道の下方から入り易くなる。又、中央筒部と取付板が一体となっているので、棟換気塔を確固に屋根に取付固定できる利点がある。
【発明を実施するための最良の形態】
【００１８】
この発明の最良の形態について以下図面に基づいて説明する。この発明の棟換気塔１は、図１〜３に示すように、家屋の屋根の棟部Ａに設けた開口部Ｂから屋根裏Ｃに通ずる中央風道２を形成する中央筒部３と、該中央筒部３の周囲に雨風などの外気の出入となる周囲風道４を形成するために該中央筒部３と所定間隔を空けて設けられた外筒部５と、前記中央風道２と周囲風道４に通じる上方風道６を形成する前記外筒部５の上方を覆うようにして設けられた天井部７と、前記周囲風道４の全域に亘って設けられた雨水遮へい板８と、前記中央筒部３を屋根の棟部Ａに設けた開口部Ｂの近辺の野地板Ｅ等に固定するための取付板９を主な構成としている。
【００１９】
前記中央筒部３は、図８に示すように、板材からなる中央板１０によって囲まれて形成される４角形の筒状体で、内部にはこの中央筒部３の下方に位置する屋根裏Ｃに通ずる前記中央風道２が形成されている。中央板１０はこの形状に限定されるものではなく、１枚の板材で４角形筒状としたもの、４組の平板等の面材を組み合わせて４角形筒状にしたものであってもよい。
【００２０】
前記外筒部５は、前記中央筒部３の周囲において周囲風道４の幅となる所定間隔を空けて設けられた筒状体である。この外筒部５は、図９に示すように、２組のＬ字型の板材１１の端部同志の重なりしろ１１ａをリベット等の固定具２２で連結した４角形筒状のものであるが、これに限定することなく他の部材を用いてもよい。上下方向の高さは中央筒部３と略同じであるがこれに限定されるものではない。
【００２１】
前記天井部７は、図１に現れているように、４角錐形状のものであって、図１０に示すように、前記外筒部５の上方の全てを覆うように２組の半天井部１２の組み合わせからなっている。これら半天井部１２は、４角錐体の頂部と対角部を通る切断線で２つに分割され、それぞれの分割された一方の境界には合せしろ１３が設けられており、又、傾斜下方端縁においては、外筒部５の上方端縁と重なり合って隙間を防ぎ位置決めするためのスリーブ１４が設けられている。この形態においては、天井部７の表面に降った雨水が落下し易く、且つ、内部に上方風道６の空間を形成するために中央が盛り上がった４角錐形状としたが、外筒部５の形状が変化した場合にはそれに合わせるようにして形成されるので、この形状に限定されるものではない。例えば、中央筒部３の高さを外筒部５の高さより低くした場合には、天井部７の中央の盛り上がりを無くしても或いは少くても、雨水を遮り且つ上方風道６の形成は可能である。
【００２２】
前記雨水遮へい板８は、図４，図５，図６に示すように、前記周囲風道４の間隔幅と略同じ幅を有し長さ方向が外筒部５の一辺の長さとほぼ同じである薄金属板材に雨風が通過する複数の開口した流通孔１５を形成し、且つ、このそれぞれの流通孔１５の開口部分から少しの間隔を空けてこの流通孔１５に対面するように設けたブリッジ板１６とからなる。このような雨水遮へい板８を作製するには、薄金属板材を流通孔１５の開口部分の形状と同じプレス面を多数有するプレス機でもって半打ち抜きにプレスすることによって簡単に行える。流通孔１５とブリッジ板１６の大きさや個数は特に限定されるものではないが、大きすぎると雨風が大量にブリッジ板１６に強く当るので、ブリッジ板１６と板面の隙間１７からの通過量もそれに応じて多くなり、雨水を十分にブリッジ板１６にぶつけて取り除くことが困難となる。そのために、図６に示すように、例えば、流通孔１５の縦が１０〜１５ｍｍと横が３〜２０ｍｍで、隙間１７が１〜５ｍｍ程度が好適である。このような雨水遮へい板８を使用する場合には、長手方向の両端に図外の固定片８ａを設けて、この固定片８ａを中央筒部３と外筒部５にネジ等で固定すればよい。
【００２３】
又、前記雨水遮へい板８は、１枚の薄金属板材であってもよいが、複数枚を間隔を開けて上下方向に重ねて使用する方が雨水の除去効率が向上すること、又、組立手数が減り強固に組立可能であることから、図７に示すように、断面がコの字型の遮へい長尺部材１８を用いると便利である。この遮へい長尺部材１８は、長尺な薄金属板材をコの字型に折り曲げて形成したその中央の連結片１９の両側の上片２０と下片２１に前記雨水遮へい板８と同じように流通孔１５とブリッジ板１６を所定間隔で多数並べて形成したものである。
【００２４】
この雨水遮へい長尺部材１８を使用する際には、図４に示すように、直角に相互に隣接する２つの雨水遮へい長尺部材１８の端部の各上片２０と下片２１を重ね合わせてリベット等の固定具２２で連結固定する。そして、図３によく現れているように、コの字型に開口している内側の端部に設けてある固定片２３と中央筒部３とをリベット等の固定具２２で連結固定し、他方側の連結片１９を外筒部５と固定具２２で連結固定することによって、周囲風道４の通路を形成すると同時に中央筒部３と外筒部５とを強固に連結固定している。
【００２５】
以上の説明においては、１枚の薄金属板材からなる雨水遮へい板８と、断面がコの字型で２枚の雨水遮へい板を有する雨水遮へい長尺部材１８を例示したが、この２つ以外の雨水遮へい板を用いても良く、また、雨水遮へい板の構造も流通孔とブリッジ板を具備する構成に限られるものではなく、実質的にこの雨水遮へい板８と同様の作用効果を具備するものであれば、この発明の範囲に含まれるものである。
【００２６】
前記取付板９は、前記中央筒部３を構成する中央板１０の下方端と斜め外側方向へ連結接続されて、周囲風道４から落下して来る雨水を棟部Ｂの屋根葺部材Ｄ上へ導くと共に、風雨を周囲風道４の下方から取り込むためのものでもあり、防水対策を施した固定具２２によって野地板Ｅ上に固定できるようになっている。この実施形態のように、中央筒部３の下方と連結固定することによって、棟換気塔１への取付けと排水を同時に行うことができるが、野地板Ｅへの取付と排水とを別部材を用いて別々にするようにしてもよい。尚、中央板１０と取付板９とを一体に成型加工した場合には、角部における連結固定のために重なりしろを設けて、防水対策を講じておくことが望ましい。又、この取付板９は全ての中央板１０に設ける必要はなく、屋根の形状に見合った部分に適合するように変形して設ければよい。
【００２７】
以上のような構成からなるこの発明の棟換気塔１を使用する際には、前述したように、中央筒部３、雨水遮へい板８、外筒部５を順次リベット等の固定具２２によって組み立てる。雨水遮へい板８の枚数は、図２、図３における実施形態においては、コの字型の遮へい長尺部材１８を上下方向に適宜間隔をあけて２個設ける構成とすることによって実質的に４枚の遮へい板８を用いた例を示しているが、これに限定されるものではない。
【００２８】
このようにして組み立ててから、天井部７を外筒部５の上方に載せてその下方のスリーブ１４を外筒部５の上方端の外側へ嵌め込んでから、スリーブ１４と外筒部５の上方端とを固定具２２によって固定する。このとき、天井部７が２つの半天井部１２からなるときは、合せしろ１３を防水処理した固定具２２によって固定する。又、取付板９が図８に示すように中央板１０の下端を折り曲げて一体成形されている場合にはそのまま、もし、別部材の場合には中央板１０の下端に外側方向に角度をもって取付ける。
【００２９】
以上のようにしてあらかじめ組立てた棟換気塔１を家屋の棟部Ａへ持ち上げて、屋根裏Ｃと連結している開口部Ｂを塞ぐように被せて置いて、その取付板９を野地板Ｅ上にビス等の固定具２２によって固定して取付作業を完了する。
【００３０】
風が吹くと、図２〜４の点線と矢符で示すように、風上側にある取付板９と外筒部５の下端の間隙から周囲風道４の内部に入ってゆくが、この周囲風道４には雨水遮へい板８が風の進行方向すなわち下方から上方への進行を遮るように設けられているので、雨風は流通孔１５を通ってブリッジ板１６に当接する。この当接時に風と共に運ばれる雨水はブリッジ板１６表面に密着して水滴等になって雨水遮へい板８を伝って流通孔１５から下方へと落下して、取付板９を流下して屋根葺材Ｄ上へと排出される。複数の雨水遮へい板８を使用している場合にはこの雨水の除去効果は向上する。雨水を除去された風は雨水遮へい板８とブリッジ板１６の間に形成されている隙間１７を通り抜けて、更に周囲風道４を上昇して上方風道６を通り、風下側の位置にある周囲風道４を下降して取付板９と外筒部５の下端の間隙から抜け出てゆく。上方風道６は屋根裏Ｃと通じている中央風道２の空気を吸収してゆくので、屋根裏Ｃの適度な換気が行なわれることになる。
【００３１】
この実施の形態では、４方向に周囲風道４が形成されているので、４方向以外の方向からの風はこの内の２方向の周囲風道４に入って他の２方向の周囲風道４から抜け出てゆくことになるが、作用効果は風上の一方向の周囲風道４から入って風下側の他方向の周囲風道４から抜け出てゆくのと同じである。
【００３２】
又、この実施の形態では、中央筒部３及び外筒部５を正四角形とし天井部７を正四角錐形状となる棟換気塔に形成したが、屋根の棟部Ａの開口部Ｂの形状に合わせて、横長な四角形の棟換気塔、全体が円筒形の棟換気塔など他の形状になるようにしてもよい。
【産業上の利用可能性】
【００３３】
この発明の棟換気塔は、木造、鉄骨等の家屋の種類を問わず利用することができる。又、棟換気塔は工場で生産して組立てて運搬できるので、新築の家屋のみならず既設の家屋にも取付けることができる。
【図面の簡単な説明】
【００３４】
【図１】この発明の実施例の一部破断全体斜視図
【図２】設置状態の中央断面図
【図３】図２の一部拡大図
【図４】透視平面図
【図５】雨水遮へい板の全体斜視図
【図６】図５の一部斜視拡大説明図
【図７】雨水遮へい長尺部材の全体斜視図
【図８】中央板と取付板が一体となった正面図
【図９】外筒部の分解斜視説明図
【図１０】天井部の平面図
【図１１】従来例の換気塔説明図
【符号の説明】
【００３５】
１          棟換気塔
２          中央風道
３          中央筒部
４          周囲風道
５          外筒部
６          上方風道
７          天井部
８          雨水遮へい板
９          取付板
１０        中央板
１１        Ｌ字型の板材
１２        半天井部
１３        合せしろ
１４        スリーブ
１５        流通孔
１６        ブリッジ板
１７        隙間
１８        遮へい長尺部材
１９        連結片
２０        上片
２１        下片
２２        固定具
２３        取付具
Ａ          屋根の棟部
Ｂ          開口部
Ｃ          屋根裏
Ｄ          屋根葺部材
Ｅ          野地板
【図１】
0005142062.tif 000002
【図２】
0005142062.tif 000003
【図３】
0005142062.tif 000004
【図４】
0005142062.tif 000005
【図５】
0005142062.tif 000006
【図６】
0005142062.tif 000007
【図７】
0005142062.tif 000008
【図８】
0005142062.tif 000009
【図９】
0005142062.tif 000010
【図１０】
0005142062.tif 000011
【図１１】
0005142062.tif 000012